(57)【特許請求の範囲】
【請求項１】
多孔質の電池用セパレータ原反を搬送する第１搬送工程と、
スリット位置における上記電池用セパレータ原反に対する接平面内での複数のスリット刃先角度がほぼ同一となるように上記電池用セパレータ原反に対して複数のスリット刃を入れることによって上記電池用セパレータ原反をスリットする第１スリット工程と、
を含み、
上記第１スリット工程において、上記複数のスリット刃のうちの一部のスリット刃によって上記電池用セパレータ原反をスリットし、
上記電池用セパレータ原反の幅と同じ幅を有する多孔質の他の電池用セパレータ原反を搬送する第２搬送工程と、
上記一部のスリット刃の、スリット位置における上記他の電池用セパレータ原反に対する接平面内でのスリット刃先角度がほぼ同一となるように上記他の電池用セパレータ原反に対して上記一部のスリット刃を入れることによって上記電池用セパレータ原反をスリットする第２スリット工程と、
を含むことを特徴とするスリットセパレータの製造方法。
【請求項２】
上記第１スリット工程において、スリットされたフィルムは、上記複数のスリット刃のうちの隣り合う二つのスリット刃によってスリットされたものであることを特徴とする請求項１に記載のスリットセパレータの製造方法。
【請求項３】
上記複数のスリット刃は、上記電池用セパレータ原反に対して位置を固定された一つの軸に取り付けられていることを特徴とする請求項１または２に記載のスリットセパレータの製造方法。
【請求項４】
上記複数のスリット刃の少なくとも一つは、平刃であり、かつ、上記軸に回転可能なように取り付けられていることを特徴とする請求項３に記載のスリットセパレータの製造方法。
【請求項５】
上記軸に回転可能なように取り付けられている上記スリット刃の回転角度は、上記軸に対して位置を固定されたストッパーによって限定されていることを特徴とする請求項４に記載のスリットセパレータの製造方法。
【請求項６】
上記複数のスリット刃を一斉に交換する工程をさらに含むことを特徴とする請求項１から５の何れか一項に記載のスリットセパレータの製造方法。
【請求項７】
上記電池用セパレータ原反は、無機フィラーを含むことを特徴とする請求項１から６のいずれか一項に記載のスリットセパレータの製造方法。
【請求項８】
上記第１スリット工程において、上記複数のスリット刃先角度が予め定めた範囲に含まれるように上記電池用セパレータ原反に対して上記複数のスリット刃を入れることによって上記電池用セパレータ原反をスリットすることを特徴とする請求項１から７のいずれか一項に記載のスリットセパレータの製造方法。
【請求項９】
上記第１スリット工程において、
ｔａｎ（θ３／２）＝ｓｉｎ（θ２）・ｔａｎ（θ１／２）  ……式（５）
上記複数のスリット刃先角度であるθ３の予め定めた範囲において、上記式（５）を満たす範囲に含まれる断面角度θ１の上記複数のスリット刃を、上記式（５）関係を満たす範囲に含まれる取付角度θ２にて、上記電池用セパレータ原反に対して入れることによって上記電池用セパレータ原反をスリットすることを特徴とする請求項１から８のいずれか一項に記載のスリットセパレータの製造方法。
【請求項１０】
上記範囲は、上記複数のスリット刃先角度がその範囲に含まれるときに、スリット部位における毛羽立ちが少ない良品質のスリットセパレータを得ることができる範囲であることを特徴とする請求項８または９に記載のスリットセパレータの製造方法。
【請求項１１】
請求項１から１０のいずれか一項に記載のスリットセパレータの製造方法における各工程と、
スリットされたセパレータをコアに巻く工程と、
を含むことを特徴とするセパレータ捲回体の製造方法。
【発明の詳細な説明】
【技術分野】
【０００１】
本発明は、リチウムイオン二次電池などの電池に用いられる多孔質のスリットセパレータの製造方法、この製造方法を利用するセパレータ捲回体の製造方法、セパレータをスリットする方法、及びセパレータスリット装置に関する。
【背景技術】
【０００２】
電池用セパレータは、当該セパレータを用いて製造される電池に適した幅（以下「製品幅」）となるように製造する必要がある。しかし、最初から製品幅となるセパレータを製造するのは製造効率がよくない。そこで、幅広のセパレータ原反を作成し、それをスリットすることによって製品幅のセパレータを複数同時に製造するのが一般的である。【０００３】
特許文献１は、セパレータをスリットする装置として、スポット式の炭酸ガスレーザ切断装置を開示している。特許文献１には、炭酸ガスレーザ発振ユニットと、レーザ光を折り曲げるミラーとを利用することが記載されている（段落[0050]）。【０００４】
特許文献２は、セパレータをスリットする方法として、カミソリ刃とセパレータとのなす角度と、セパレータの厚みとを所定の関係とする構成を開示している。特許文献１には、この構成により、セパレータに孔や裂けが生じにくくなると記載されている（段落[0030]）。【０００５】
なお、スリットされる前のセパレータを「原反」と称している。また、スリットされた後のセパレータを「スリットセパレータ」と称している。
【先行技術文献】
【特許文献】
【０００６】
【特許文献１】日本国公開特許公報「特開２０１３−１１９０９４号公報（２０１３年６月１７日公開）」
【特許文献２】日本国公開特許公報「特開２００２−２７３６８４号公報（２００２年９月２５日公開）」
【発明の概要】
【発明が解決しようとする課題】
【０００７】
しかし、特許文献１の装置は、炭酸ガスレーザ発振ユニット及びレーザ光を曲げるミラーを備える必要があるため、大きくならざるを得ない。特に、ミラーは、原反をスリットする位置ごとに備える必要がある。ゆえに、原反をスリットする個数が増えるほど、この装置の利用は困難になる。【０００８】
特許文献２の方法は、原反をスリットする個数が増えても、比較的容易に利用できると言える。しかし、カミソリ刃とセパレータとのなす角度と、セパレータの厚みとが、スリットされたスリットセパレータの良否に決定的な影響を与えるわけではない。ゆえに、この方法により、良品のスリットセパレータが得られるわけではない。【０００９】
原反は、その幅方向に並べられた複数のスリット刃によってスリットされる。しかし、特許文献１及び２には、複数のスリット刃を用いて良品のスリットセパレータを得るための構成について開示していない。【００１０】
本発明は、以上の課題に鑑み、良品質のスリットセパレータ及びセパレータ捲回体を得ることができるスリットセパレータの製造方法及びセパレータ捲回体の製造方法を提供することを目的とする。
【課題を解決するための手段】
【００１１】
上記の課題を解決するために、本発明の第一態様に係るスリットセパレータの製造方法は、多孔質の電池用セパレータ原反を搬送する搬送工程と、スリット位置における上記電池用セパレータ原反に対する接平面内での複数のスリット刃先角度がほぼ同一となるように上記電池用セパレータ原反に対して複数のスリット刃を入れることによって上記電池用セパレータ原反をスリットする第１スリット工程とを含む。【００１２】
また、本発明の第二態様に係るセパレータ捲回体の製造方法は、上述のスリットセパレータの製造方法における各工程と、スリットされたセパレータをコアに巻く工程とを含む。
【発明の効果】
【００１３】
本発明の各態様によれば、スリット部位における毛羽立ちが少ない良品質の複数のスリットセパレータ及び側部端面に毛羽立ちが少ない良品質のセパレータ捲回体を一括して得ることができる余地がうまれるという効果を奏する。
【図面の簡単な説明】
【００１４】
【図１】リチウムイオン二次電池の断面構成を示す模式図である。
【図２】図１に示されるリチウムイオン二次電池の詳細構成を示す模式図である。
【図３】図１に示されるリチウムイオン二次電池の他の構成を示す模式図である。
【図４】セパレータをスリットするスリット装置の構成を示す模式図である。
【図５】図４に示されるスリット装置の切断装置の構成を示す側面図・正面図である。
【図６】実施形態１のセパレータスリット方法を示す模式図である。
【図７】図６に示されるセパレータスリット方法に利用するスリット刃の構成を示す正面図・断面図である。
【図８】図７に示されるスリット刃の詳細構成を示す正面図・断面図である。
【図９】図８に示されるスリット刃の断面角度及び取付角度と、接平面刃先角度との関係を示す模式図である。
【図１０】実施形態２のセパレータスリット方法に利用するスリット刃の構成を示す正面図である。
【図１１】図１０に示されるものとは異なるスリット刃の構成を示す断面図である。
【図１２】図１０に示されるスリット刃を利用するセパレータスリット方法とは異なるセパレータスリット方法を示す正面図である。
【図１３】図１０に示されるスリット刃を利用するセパレータスリット方法とはさらに異なるセパレータスリット方法を示す正面図である。
【図１４】図１３に示されるセパレータスリット方法で利用される一対のスリット刃の下刃の構成を示す側面から見たときの断面図である。
【図１５】セパレータ及びセパレータ捲回体に発生する毛羽立ちの態様を説明するための図である。
【図１６】実施形態４における複数のスリット刃の接平面刃先角度を一定に保つための構成を示す模式図である。
【図１７】スリット刃の接平面刃先角度をほぼ同一にする構成を説明する模式図である。
【発明を実施するための形態】
【００１５】
〔共通構成〕
後述の実施形態において共通する、リチウムイオン二次電池、セパレータ、耐熱セパレータ、耐熱セパレータの製造方法、スリット装置、切断装置について順に説明する。
【００１６】
（リチウムイオン二次電池）
リチウムイオン二次電池に代表される非水電解液二次電池は、エネルギー密度が高く、それゆえ、現在、パーソナルコンピュータ、携帯電話、携帯情報端末等の機器、自動車、航空機等の移動体に用いる電池として、また、電力の安定供給に資する定置用電池として広く使用されている。
【００１７】
図１は、リチウムイオン二次電池１の断面構成を示す模式図である。
【００１８】
図１に示されるように、リチウムイオン二次電池１は、カソード１１と、セパレータ１２と、アノード１３とを備える。リチウムイオン二次電池１の外部において、カソード１１とアノード１３との間に、外部機器２が接続される。そして、リチウムイオン二次電池１の充電時には方向Ａへ、放電時には方向Ｂへ、電子が移動する。
【００１９】
（セパレータ）
セパレータ１２は、リチウムイオン二次電池１の正極であるカソード１１と、その負極であるアノード１３との間に、これらに挟持されるように配置される。セパレータ１２は、カソード１１とアノード１３との間を分離しつつ、これらの間におけるリチウムイオンの移動を可能にする多孔質フィルムである。セパレータ１２は、その材料として、例えば、ポリエチレン、ポリプロピレン等のポリオレフィンを含む。
【００２０】
図２は、図１に示されるリチウムイオン二次電池１の詳細構成を示す模式図であって、（ａ）は通常の構成を示し、（ｂ）はリチウムイオン二次電池１が昇温したときの様子を示し、（ｃ）はリチウムイオン二次電池１が急激に昇温したときの様子を示す。
【００２１】
図２の（ａ）に示されるように、セパレータ１２には、多数の孔Ｐが設けられている。通常、リチウムイオン二次電池１のリチウムイオン３は、孔Ｐを介し往来できる。
【００２２】
ここで、例えば、リチウムイオン二次電池１の過充電、または、外部機器の短絡に起因する大電流等により、リチウムイオン二次電池１は、昇温することがある。この場合、図２の（ｂ）に示されるように、セパレータ１２が融解または柔軟化し、孔Ｐが閉塞する。そして、セパレータ１２は収縮する。これにより、リチウムイオン３の移動が停止するため、上述の昇温も停止する。
【００２３】
しかし、リチウムイオン二次電池１が急激に昇温する場合、セパレータ１２は、急激に収縮する。この場合、図２の（ｃ）に示されるように、セパレータ１２は、破壊されることがある。そして、リチウムイオン３が、破壊されたセパレータ１２から漏れ出すため、リチウムイオン３の移動は停止しない。ゆえに、昇温は継続する。
【００２４】
（耐熱セパレータ）
図３は、図１に示されるリチウムイオン二次電池１の他の構成を示す模式図であって、（ａ）は通常の構成を示し、（ｂ）はリチウムイオン二次電池１が急激に昇温したときの様子を示す。
【００２５】
図３の（ａ）に示されるように、セパレータ１２は、多孔質フィルム５と、耐熱層４とを備える耐熱セパレータであってもよい。耐熱層４は、多孔質フィルム５のカソード１１側の片面に積層されている。なお、耐熱層４は、多孔質フィルム５のアノード１３側の片面に積層されてもよいし、多孔質フィルム５の両面に積層されてもよい。そして、耐熱層４にも、孔Ｐと同様の孔が設けられている。通常、リチウムイオン３は、孔Ｐと耐熱層４の孔とを介し往来する。耐熱層４は、その材料として、例えば全芳香族ポリアミド（アラミド樹脂）を含む。
【００２６】
図３の（ｂ）に示されるように、リチウムイオン二次電池１が急激に昇温し、多孔質フィルム５が融解または柔軟化しても、耐熱層４が多孔質フィルム５を補助しているため、多孔質フィルム５の形状は維持される。ゆえに、多孔質フィルム５が融解または柔軟化し、孔Ｐが閉塞するにとどまる。これにより、リチウムイオン３の移動が停止するため、上述の過放電または過充電も停止する。このように、セパレータ１２の破壊が抑制される。
【００２７】
（耐熱セパレータの製造工程）
リチウムイオン二次電池１の耐熱セパレータの製造は特に限定されるものではなく、公知の方法を利用して行うことができる。以下では、多孔質フィルム５がその材料として主にポリエチレンを含む場合を仮定して説明する。しかし、多孔質フィルム５が他の材料を含む場合でも、同様の製造工程により、セパレータ１２を製造できる。
【００２８】
例えば、熱可塑性樹脂に可塑剤を加えてフィルム成形した後、該可塑剤を適当な溶媒で除去する方法が挙げられる。例えば、多孔質フィルム５が、超高分子量ポリエチレンを含むポリエチレン樹脂から形成されてなる場合には、以下に示すような方法により製造することができる。
【００２９】
この方法は、（１）超高分子量ポリエチレンと、炭酸カルシウム等の無機充填剤とを混練してポリエチレン樹脂組成物を得る混練工程、（２）ポリエチレン樹脂組成物を用いてフィルムを成形する圧延工程、（３）工程（２）で得られたフィルム中から無機充填剤を除去する除去工程、及び、（４）工程（３）で得られたフィルムを延伸して多孔質フィルム５を得る延伸工程を含む。
【００３０】
除去工程によって、フィルム中に多数の微細孔が設けられる。延伸工程によって延伸されたフィルムの微細孔は、上述の孔Ｐとなる。これにより、所定の厚さと透気度とを有するポリエチレン微多孔膜である多孔質フィルム５が形成される。
【００３１】
なお、混練工程において、超高分子量ポリエチレン１００重量部と、重量平均分子量１万以下の低分子量ポリオレフィン５〜２００重量部と、無機充填剤１００〜４００重量部とを混練してもよい。
【００３２】
その後、塗工工程において、多孔質フィルム５の表面に耐熱層４を形成する。例えば、多孔質フィルム５に、アラミド／ＮＭＰ（Ｎ−メチル−ピロリドン）溶液（塗工液）を塗布し、アラミド耐熱層である耐熱層４を形成する。耐熱層４は、多孔質フィルム５の片面だけに設けられても、両面に設けられてもよい。また、耐熱層４として、アルミナ／カルボキシメチルセルロース等のフィラーを含む混合液を塗工してもよい。
【００３３】
塗工液を多孔質フィルム５に塗工する方法は、均一にウェットコーティングできる方法であれば特に制限はなく、従来公知の方法を採用することができる。例えば、キャピラリーコート法、スピンコート法、スリットダイコート法、スプレーコート法、ディップコート法、ロールコート法、スクリーン印刷法、フレキソ印刷法、バーコーター法、グラビアコーター法、ダイコーター法などを採用することができる。耐熱層４の厚さは塗工ウェット膜の厚み、塗工液中の固形分濃度によって制御することができる。
【００３４】
なお、塗工する際に多孔質フィルム５を固定あるいは搬送する支持体としては、樹脂製のフィルム、金属製のベルト、ドラム等を用いることができる。
【００３５】
以上のように、多孔質フィルム５に耐熱層４が積層されたセパレータ１２（耐熱セパレータ）を製造できる。製造されたセパレータは、円筒形状のコアに巻き取られる。なお、以上の製造方法で製造される対象は、耐熱セパレータに限定されない。この製造方法は、塗工工程を含まなくてもよい。この場合、製造される対象は、耐熱層を有しないセパレータである。
【００３６】
（スリット装置）
耐熱セパレータまたは耐熱層を有しないセパレータ（以下「セパレータ」）は、リチウムイオン二次電池１などの応用製品に適した幅（以下「製品幅」）であることが好ましい。しかし、生産性を上げるために、セパレータは、その幅が製品幅以上となるように製造される。そして、一旦製造された後に、セパレータは、製品幅に切断（スリット）される。
【００３７】
なお、「セパレータの幅」とは、セパレータの長手方向と厚み方向とに対し垂直である方向の、セパレータの長さを意味する。以下では、スリットされる前の幅広のセパレータを「原反」と称し、スリットされたセパレータを特に「スリットセパレータ」と称する。また、スリットとは、セパレータを長手方向（製造におけるフィルムの流れ方向、ＭＤ：Machine direction）に沿って切断することを意味し、カットとは、セパレータを横断方向（ＴＤ：transverse direction）に沿って切断することを意味する。横断方向（ＴＤ）とは、セパレータの長手方向（ＭＤ）と厚み方向とに対し略垂直である方向を意味する。
【００３８】
図４は、セパレータをスリットするスリット装置６の構成を示す模式図であって、（ａ）は全体の構成を示し、（ｂ）は原反をスリットする前後の構成を示す。
【００３９】
図４の（ａ）に示されるように、スリット装置６は、回転可能に支持された円柱形状の、巻出ローラー６１と、ローラー６２〜６９と、複数の巻取ローラー７０Ｕ・７０Ｌとを備える。スリット装置６には、後述する切断装置７がさらに設けられている。
【００４０】
（スリット前）
スリット装置６では、原反を巻きつけた円筒形状のコアｃが、巻出ローラー６１に嵌められている。図４の（ｂ）に示されるように、原反は、コアｃから経路ＵまたはＬへ巻き出される。巻き出された原反は、ローラー６３〜６７を経由し、ローラー６８へ搬送される。搬送される工程において原反は、複数のセパレータにスリットされる。なお、ローラー６７は、なくてもよい。このとき、この原反は、ローラー６４からローラー６８へ搬送される。
【００４１】
（スリット後）
図４の（ｂ）に示されるように、複数のスリットセパレータの一部は、それぞれ、巻取ローラー７０Ｕに嵌められた円筒形状の各コアｕ（ボビン）へ巻き取られる。また、複数のスリットセパレータの他の一部は、それぞれ、巻取ローラー７０Ｌに嵌められた円筒形状の各コアｌ（ボビン）へ巻き取られる。なお、ロール状に巻き取られたスリットセパレータ及びコアｕ・ｌの一体物を「捲回体」と称する。
【００４２】
（切断装置）
図５は、図４の（ａ）に示されるスリット装置６の切断装置７の構成を示す図であって、（ａ）は切断装置７の側面図であり、（ｂ）は切断装置７の正面図である。
【００４３】
図５の（ａ）〜（ｂ）に示されるように、切断装置７は、ホルダー７１と、スリット刃７２とを備える。ホルダー７１は、スリット装置６に備えられている筐体などに固定されている。そして、ホルダー７１は、スリット刃７２と搬送されるセパレータ原反との位置関係が固定されるように、スリット刃７２を保持している。スリット刃７２は、鋭く研がれたエッジによってセパレータの原反をスリットする。
【００４４】
〔実施形態１〕
本発明の第一実施形態について、図６〜図９に基づき説明する。
【００４５】
≪セパレータスリット方法≫
（スリット刃による原反の切り分け）
図６は、本実施形態のセパレータスリット方法を示す模式図であって、（ａ）は正面図であり、（ｂ）は上面図である。
【００４６】
図６の（ａ）に示されるように、原反Ｓは、スリット刃７２の刃先まで一定の搬送経路に沿って搬送される。スリット刃７２は、原反Ｓをスリットセパレータｓｕとスリットセパレータｓｌとにスリットする。スリットセパレータｓｕとスリットセパレータｓｌとは、別方向へ搬送される。
【００４７】
図６の（ｂ）に示されるように、原反Ｓは、一つの方向Ｄへ搬送されている。スリット刃７２は、方向Ｄに平行、かつ、原反Ｓに垂直に、原反Ｓへ切り込んでいる。
【００４８】
なお、原反Ｓは、スリット刃７２によりスリットされる直前のセパレータである。
【００４９】
（スリット刃の断面角度）
図７は、図６の（ａ）〜（ｂ）に示されるセパレータスリット方法に利用するスリット刃７２の構成を示す図であって、（ａ）は正面図であり、（ｂ）は（ａ）のＡ−Ａ断面を示す断面図である。
【００５０】
図７の（ａ）に示されるように、スリット刃７２は、直線状の刃先Ｅを備える。図７の（ｂ）に示されるように、スリット刃７２の形状は、原反ＳとＡ−Ａ断面とに垂直な平面ａに対し面対称である。そして、スリット刃７２は、Ａ−Ａ断面において、刃先Ｅを先端として所定の角度に広がっている。刃先Ｅに垂直な刃先Ｅの断面角度θ１は、例えば２５°である。
【００５１】
（スリット刃の取付角度）
図８は、図７の（ａ）〜（ｂ）に示されるスリット刃７２の詳細構成を示す図であって、（ａ）は正面図であり、（ｂ）は（ａ）のＢ−Ｂ断面を示す断面図であり、（ｃ）はスリット刃７２が二段刃であるときの上述のＡ−Ａ断面を示す断面図であり、（ｄ）はスリット刃７２を利用するセパレータスリット方法を示すフローチャートである。
【００５２】
図８の（ａ）に示されるように、スリット刃７２は、原反Ｓに対し所定の角度をなすように取付られている。取付角度θ２は、例えば１２．８°である。
【００５３】
Ｂ−Ｂ断面は、スリット刃７２のスリット位置における原反Ｓに対する接平面である。
【００５４】
（スリット刃の接平面刃先角度）
図８の（ｂ）に示されるように、スリット刃７２は、Ｂ−Ｂ断面である断面Ｔ（接平面）において、刃先Ｅを先端として所定の角度に広がっている。この角度は、刃先Ｅが接する原反Ｓを含む平面における断面角度（以下「接平面刃先角度」）である。発明者らは、この接平面刃先角度が、スリットセパレータの良否に大きく寄与することを発見した。接平面刃先角度θ３が、３°以上３５°以下の範囲（以下「範囲α」）に含まれるとき、スリット部位における毛羽立ちが少ない良品質のスリットセパレータを得ることができる。
【００５５】
（二段刃）
図８の（ｃ）に示されるように、スリット刃７２は、二段刃であってもよい。この二段刃の刃先Ｅは、断面角度θ１を成して広がり（一段目）、さらに鋭角な断面角度θ４を成して広がる（二段目）。この二段刃においても、範囲Ｆで示される狭い範囲について、上述のように接平面刃先角度θ３を計算できる。
【００５６】
（セパレータスリット方法の流れ）
図８の（ｄ）に示されるように、本実施形態のセパレータスリット方法は、原反Ｓを搬送する工程であるステップＳ１０１と、原反Ｓをスリットする工程であるステップＳ１０２とを含む。このとき、接平面刃先角度θ３は、範囲αに含まれる。
【００５７】
（断面角度及び取付角度と接平面刃先角度との関係）
図９の（ａ）〜（ｄ）は、図８の（ａ）〜（ｂ）に示されるスリット刃７２の断面角度θ１及び取付角度θ２と、接平面刃先角度θ３との関係を示す模式図である。図９の（ａ）〜（ｄ）に示される点ｅ〜ｉは、図８の（ａ）〜（ｂ）に示される点ｅ〜ｉに対応している。
【００５８】
図９の（ａ）に示されるように、狭い範囲（例えば上述の範囲Ｆ）において、刃先Ｅは三角柱とみなせる。以下では、刃先Ｅを「三角柱」と称する。
【００５９】
（断面角度・取付角度）
図９の（ｂ）に示されるように、上述の断面角度θ１は、三角柱の頂点である点ｆ・ｇ・ｈからなる三角形の点ｇにおける角度に対応している。点ｉは、点ｆ・ｈの中点である。そして、点ｆ・ｈからなる辺の長さをｚとおき、点ｇ・ｉからなる線分の長さをｍとおくと、断面角度θ１について下式（１）が成り立つ。
ｚ／２＝ｍ・ｔａｎ（θ１／２）  ……式（１）
図９の（ｃ）に示されるように、上述の取付角度θ２は、三角柱の頂点である点ｅ・ｇと、点ｉとからなる三角形の、点ｅにおける角度に対応している。そして、点ｅ・ｉからなる辺の長さをｎとおくと、取付角度θ２について下式（２）が成り立つ。
ｍ／ｎ＝ｓｉｎ（θ２）  ……式（２）
（接平面刃先角度）
図９の（ｄ）は、図８の（ｂ）に示される断面Ｔと同一の断面を示している。そして、接平面刃先角度θ３について、下式（３）が成り立つ。
ｔａｎ（θ３／２）＝（ｚ／２）／ｎ  ……式（３）
上式（３）に、上式（１）を代入すると、下式（４）が得られる。
ｔａｎ（θ３／２）＝（ｍ／ｎ）・ｔａｎ（θ１／２）  ……式（４）
上式（４）に、上式（２）を代入すると、下式（５）が得られる。
ｔａｎ（θ３／２）＝ｓｉｎ（θ２）・ｔａｎ（θ１／２）  ……式（５）
上式（５）を変形すると、下式（６）が得られる。
θ３＝２・ｔａｎ−１（ｓｉｎ（θ２）・ｔａｎ（θ１／２））  ……式（６）
（スリット刃の具体例）
スリット刃７２には、例えば、京セラ株式会社製の工業用精密ナイフ「ＦＢＣ４０１９Ｇ」を利用できる。ＦＢＣ４０１９Ｇの仕様は、以下に列挙するとおりである。
・材質：ＦＷ２５（小さな粒子の集合体で構成された材質）
ビッカース硬度［Ｋｇ／ｍｍ２］：１７００
抗折強度［ＭＰａ］：３９００
破壊靱性［ＭＰａ・ｍ１／２］：１０．３
線膨張係数［１／℃（×１０−６）］：５．５
刃先Ｅを構成する粒子の粒径［μｍ］：０．６
・刃先Ｅの長さ［ｍｍ］：４０
・幅［ｍｍ］：１９
・厚み［ｍｍ］：０．２５
・刃先Ｅの断面角度θ１［°］：２５
≪本実施形態の効果≫
接平面刃先角度θ３は、原反Ｓをスリットするときに、スリット刃７２の刃先Ｅが原反Ｓに切り込む角度である。ゆえに、接平面刃先角度θ３は、スリットセパレータの良否に大きく寄与する。そして、接平面刃先角度θ３が上述の範囲αに含まれることにより、良品のスリットセパレータが得られる。
【００６０】
なお、スリット刃を備える切断装置７（図５の（ａ）〜（ｂ）参照）を備えるスリット装置６（図４の（ａ）参照）も、本発明に含まれる。また、接平面刃先角度θ３が上述の範囲αに含まれるように、ホルダー７１により固定されたスリット刃７２も、本発明に含まれる。
【００６１】
（同じ効果が得られる等価な条件）
断面角度θ１及び取付角度θ２は、接平面刃先角度θ３が上述の範囲αに含まれるときの、上式（５）の関係から導出される値の範囲に含まれていればよい。このときにも、良品のスリットセパレータが得られる。
【００６２】
（スリット刃の形状から得られる効果）
上述のように、スリット刃７２の形状は、原反ＳとＡ−Ａ断面（図７の（ａ）〜（ｂ）参照）とに垂直な平面ａに対し面対称である。つまり、スリット刃７２の断面形状は、原反Ｓを含む平面（刃先Ｅが原反Ｓに接する平面）に垂直であり、かつ、原反Ｓの搬送方向である方向Ｄに平行である平面に対し、面対称である。これにより、端面の形状が均一なスリットセパレータが得られる。
【００６３】
（スリットセパレータ及びセパレータ捲回体の製造方法・スリット装置としての利用）
なお、上述のセパレータスリット方法の各工程を含むスリットセパレータの製造方法も本発明に含まれる。
【００６４】
また、これらの各工程を含むセパレータ捲回体の製造方法も本発明に含まれる。
【００６５】
また、上述のセパレータスリット方法を実現するスリット装置６（セパレータスリット装置）も本発明に含まれる。
【００６６】
（毛羽立ちの態様）
図１５は、セパレータ１２及びセパレータ捲回体１０に発生する毛羽立ちの態様を説明するための図であって、（ａ）はセパレータ捲回体１０の正面図であり、（ｂ）はセパレータ捲回体１０の側面図であり、（ｃ）は（ａ）の範囲Ｇの拡大図である。なお、以下の説明において、セパレータ１２はスリットセパレータである。
【００６７】
図１５の（ａ）（ｂ）に示されるように、セパレータ捲回体１０は、セパレータ１２を外周面８１ａに捲回したコア８を備える。コア８は、外側円筒部８１と、内側円筒部８２と、複数のリブ８３とを備え、上述のコアｕ・ｌと同じ機能を有する。
【００６８】
上述の「毛羽」は、スリット部位であるセパレータ１２の側部に発生する。そして、図１５の（ｃ）に示されるように、セパレータ１２がコア８に捲回されると、毛羽１２ａは、セパレータ捲回体１０の側部端面に表れる。
【００６９】
（毛羽立ちが少ないことの利点）
毛羽１２ａは、セパレータ捲回体１０からセパレータ１２を巻き出すときなどに飛散すると、セパレータ１２を利用して製造する電池に悪影響を与える虞がある。また、図１５の（ｃ）に示されるように、美観を損なう。また、セパレータ１２は、ＭＤ方向に直線的にスリットされる。このとき、セパレータ１２に張力を掛けたときに、毛羽１２ａを起点に裂けが生じる虞がある。さらに、電池製造において毛羽１２ａが折り込まれると、折り込まれた部分はセパレータ１２が重なり周囲に比べて抵抗が高くなるため、局所的に電流密度に差が生じる。このため、毛羽１２ａは、電池の正極劣化やデンドライト生成の原因となりうる。本実施形態によれば、このような毛羽１２ａの発生を抑制できる。
【００７０】
〔実施形態２〕
本発明の第二実施形態について、図１０〜図１３に基づき説明する。なお、説明の便宜上、上述の実施形態にて説明した部材と同じ機能を有する部材については、同じ符号を付記し、その説明を省略する（以下の実施形態において同様）。
【００７１】
≪他のセパレータスリット方法及びその効果≫
（丸刃のスリット刃）
図１０は、本実施形態のセパレータスリット方法に利用するスリット刃７２ａの構成を示す正面図である。
【００７２】
図１０に示されるように、スリット刃７２ａは、丸刃であって、円弧形状（弧状）の刃先Ｅａを備える。半径ｒは、この円弧の半径である。長さｌは、原反Ｓを含む平面における、方向Ｄにそったスリット刃７２ａの長さである。このとき、原反Ｓをスリットする起点である点ｅにおける円弧の接線（接平面）と、原反Ｓとがなす角度である進入角度θ２ａは、下式（７）によってあらわされる。
ｃｏｓ（９０°−θ２ａ）＝（ｌ／２）／ｒ  ……式（７）
上式（７）は、下式（８）に変形できる。
９０°−θ２ａ＝ｃｏｓ−１（（ｌ／２）／ｒ）  ……式（８）
上記（８）は、下式（９）に変形できる。
θ２ａ＝９０°−ｃｏｓ−１（（ｌ／２）／ｒ）  ……式（９）
（平刃のスリット刃と同一の効果が得られる等価な条件）
そして、スリット刃７２ａの刃先Ｅａと、原反Ｓとが、進入角度θ２ａをなすということは、上述のスリット刃７２の刃先Ｅと、原反Ｓとが、取付角度θ２をなすということに等価である。このとき、図１０のＡ−Ａ断面は、図７の（ａ）〜（ｂ）に示されるＡ−Ａ断面に対応する。また、図１０のＢ−Ｂ断面は、図８の（ａ）〜（ｂ）に示されるＢ−Ｂ断面に対応する。
【００７３】
（片刃のスリット刃によるスリット）
図１１は、図１０に示されるものとは異なるスリット刃７２ｂの構成を示す断面図であって、（ａ）は図７の（ｂ）に対応する断面図であり、（ｂ）は図９の（ｄ）に対応する断面図である。
【００７４】
図１１の（ａ）に示されるように、スリット刃７２ｂは片刃である。スリット刃７２ｂの断面は、図７の（ａ）に示されるスリット刃７２の断面の右半分の形状に一致している。なお、この形状に限定されるわけではなく、スリット刃７２ｂの断面は、左右逆であってもよい。
【００７５】
ここで、スリット刃７２ｂの刃先Ｅの断面角度θ１ａは、スリット刃７２の断面角度θ１の半分である。
θ１ａ＝θ１／２  ……式（１０）
また、図１１の（ｂ）に示されるように、スリット刃７２ｂの接平面刃先角度θ３ａは、スリット刃７２の接平面刃先角度θ３の半分である。
θ３ａ＝θ３／２  ……式（１１）
上式（６）に、上式（１０）及び（１１）を代入すると下式（１２）が得られる。
θ３ａ＝ｔａｎ−１（ｓｉｎ（θ２）・ｔａｎ（θ１ａ））  ……式（１２）
上式（１２）により、片刃のスリット刃７２ｂの接平面刃先角度θ３ａも、両刃のスリット刃７２と同様に計算することができる。
【００７６】
（ローラー上でのスリット）
図１２は、図１０に示されるスリット刃７２ａを利用するセパレータスリット方法とは異なるセパレータスリット方法を示す正面図である。
【００７７】
図１２に示されるように、原反Ｓは、ローラー６６（搬送部）上を搬送されている。ローラー６６には、スリット刃７２の刃先Ｅの一部を差し込み可能な溝が設けられている。刃深さｚは、ローラー６６に差し込まれた刃先Ｅの深さである。接平面ｐは、スリット刃７２のスリット位置における原反Ｓに対する接平面である。
【００７８】
このとき、ローラー６６により搬送されている原反Ｓと、スリット刃７２とがなす進入角度θ２ｂは、下式（１３）により計算できる。
θ２ｂ＝ｃｏｓ−１（（ｒ−ｚ）／ｒ）  ……式（１３）
ｒ：ローラー６６の半径
この角度θを上述の取付角度θ２と同様に扱うことにより、上式（６）に基づき接平面刃先角度θ３を計算できる。
【００７９】
なお、スリット刃７２にかえて上述のスリット刃７２ｂを利用してもよい。このときも、進入角度θ２ｂを上述の取付角度θ２と同様に扱うことにより、上式（１２）に基づき接平面刃先角度θ３ａを計算できる。
【００８０】
以上のように、ローラー上でのスリットにおいても、接平面刃先角度を計算できる。
【００８１】
（一対のスリット刃によるスリット）
図１３は、図１０に示されるスリット刃７２ａを利用するセパレータスリット方法とはさらに異なるセパレータスリット方法を示す正面図である。
【００８２】
図１３に示されるように、一対のスリット刃７２ｃ・７２ｄが、原反Ｓをスリットする。スリット刃７２ｃの大きさとスリット刃７２ｄの大きさとは、異なっていてもよい。
【００８３】
スリット刃７２ｃには、例えば、京セラ株式会社製の工業用精密ナイフ「ＧＵＢＤ−０９８０７Ｔ４５ＤＣ１５（刃先の断面角度θ１ａ：４５°）」を利用できる。スリット刃７２ｄには、例えば、京セラ株式会社製の工業用精密ナイフ「ＧＤＢＤ−０８００５Ｔ」を利用できる。
【００８４】
図１４は、図１３に示されるセパレータスリット方法で利用される一対のスリット刃７２ｃ・７２ｄの下刃であるスリット刃７２ｄの構成を示す側面から見たときの断面図であって、（ａ）は全体構成を示す図であり、（ｂ）は（ａ）の範囲Ｃを拡大した図である。
【００８５】
図１４の（ａ）〜（ｂ）に示されるように、スリット刃７２ｄは、ローラー６６に埋め込まれている。スリット刃７２ｄの外径とローラー６６の外径とは、同一である。このため、原反Ｓは、ローラー６６と連動して回転するスリット刃７２ｄの外周部７２ｄａに沿って搬送される。
【００８６】
スリット刃７２ｄには溝部７２ｄｂが設けられている。一対のスリット刃７２ｃ・７２ｄの上刃であるスリット刃７２ｃは片刃である。スリット刃７２ｃの刃先Ｅｃは、スリット刃７２ｄの溝部７２ｄｂの側面の一部である側部７２ｄｃと接触している。
【００８７】
ここで、図１３の点Ｏｃ・Ｏｄ・ｓからなる三角形について、余弦定理より以下の式（１４）〜式（１６）が成り立つ。なお、補助線ｑは、角度計算のための補助線であって、スリット刃７２ｃの刃先Ｅｃとスリット刃７２ｄの外周部７２ｄａとが交わる二点を通過する直線である。
ｒｃ２＋ＯｃＯｄ２−２・ｒｃ・ＯｃＯｄ・ｃｏｓ（θ２ｃｃ）＝ｒｄ２  ……式（１４）
ｒｄ２＋ＯｃＯｄ２−２・ｒｄ・ＯｃＯｄ・ｃｏｓ（θ２ｃｄ）＝ｒｃ２  ……式（１５）
ＯｃＯｄ＝ｒｃ＋ｒｄ−ｚ                                          ……式（１６）
ｒｃ：スリット刃７２ｃの半径
ｒｄ：スリット刃７２ｄの半径
ＯｃＯｄ：スリット刃７２ｃの回転中心である点Ｏｃとスリット刃７２ｄの回転中心である点Ｏｄとの間の長さ
θ２ｃｃ：補助線ｑとスリット刃７２ｃの刃先Ｅｃとがなす片側進入角度
θ２ｃｄ：補助線ｑとスリット刃７２ｄの外周部７２ｄａとがなす片側進入角度
ｚ：スリット刃７２ｃとスリット刃７２ｄとが接触する深さ
上式（１４）〜式（１５）を変形すると、以下の式（１７）〜式（１８）が得られる。θ２ｃｃ＝ｃｏｓ−１（（ｒｃ２＋ＯｃＯｄ２−ｒｄ２）／（２・ｒｃ・ＯｃＯｄ））  ……式（１７）
θ２ｃｄ＝ｃｏｓ−１（（ｒｄ２＋ＯｃＯｄ２−ｒｃ２）／（２・ｒｄ・ＯｃＯｄ））  ……式（１８）
これらの片側進入角度θ２ｃｃ・θ２ｃｄの和の角度である進入角度「θ２ｃｃ＋θ２ｃｄ」を上述の取付角度θ２と同様に扱うことにより、上式（１２）に基づき接平面刃先角度θ３ａを計算できる。
【００８８】
以上のように、一対のスリット刃によるスリットにおいても、接平面刃先角度を計算することができる。
【００８９】
〔実施形態３〕
本発明の第三実施形態について説明する。
【００９０】
≪セパレータスリット方法の検証≫
以下では、スリットされるセパレータの種類、スリット刃の種類（平刃、丸刃）、スリット刃の断面形状（両刃、片刃）、スリット刃の刃先の断面角度θ１、及びスリット刃の取付角度θ２を種々に変更し、スリットセパレータの良否が接平面刃先角度θ３に依存することを具体的に検証する。
【００９１】
（スリットするフィルムの製造条件）
＜ポリオレフィン多孔質フィルムの製造＞
この検証では、二種類のセパレータを利用する。これらのセパレータは、上述の「耐熱セパレータ」である。この耐熱セパレータを構成する多孔質フィルムの製造条件は以下のとおりである。
【００９２】
高分子量ポリエチレン粉末（ＧＵＲ４０３２（ティコナ株式会社製））を７０重量％、重量平均分子量１０００のポリエチレンワックス（ＦＮＰ−０１１５（日本精鑞株式会社製））３０重量％、この高分子量ポリエチレンとポリエチレンワックスの合計１００重量部に対して、酸化防止剤（Ｉｒｇ１０１０（チバ・スペシャリティ・ケミカルズ株式会社製））０．４重量部、（Ｐ１６８（チバ・スペシャリティ・ケミカルズ株式会社製））０．１重量部、ステアリン酸ナトリウム１．３重量部を加え、さらに全体積に対して３８体積％となるように平均粒径０．１μｍの炭酸カルシウム（丸尾カルシウム株式会社製）を加え、これらを粉末のままヘンシェルミキサーで混合した後、二軸混練機で溶融混練してポリオレフィン樹脂組成物とした。該ポリオレフィン樹脂組成物を表面温度が１５０℃の一対のロールにて圧延しシートを作製した。このシートを塩酸水溶液（塩酸４ｍｏｌ／Ｌ、非イオン系界面活性剤０．５重量％）に浸漬させることで炭酸カルシウムを除去し、続いて１０５℃で任意の倍率で延伸して、膜厚１３．５μｍのポリオレフィン多孔質フィルムを得た。
【００９３】
＜パラアラミドの合成＞
上述の耐熱セパレータを構成する耐熱層を得るためのパラアラミドの製造条件は以下のとおりである。
【００９４】
撹拌翼、温度計、窒素流入管及び粉体添加口を有する、３リットルのセパラブルフラスコを使用して、パラアラミド（ポリ（パラフェニレンテレフタルアミド））の製造を行った。十分乾燥した上記フラスコに、Ｎ−メチル−２−ピロリドン（ＮＭＰ）２２００ｇを仕込み、次に、２００℃で２時間真空乾燥した塩化カルシウム粉末１５１．０７ｇを添加した。これを１００℃に昇温して塩化カルシウムをＮＭＰに完全に溶解した。この塩化カルシウム溶解液を室温に戻して、パラフェニレンジアミン６８．２３ｇを添加し完全に溶解させた。この溶液を２０℃±２℃に保ったまま、テレフタル酸ジクロライド１２４．９７ｇを１０分割して約５分おきに添加した。その後も撹拌しながら、溶液を２０℃±２℃に保ったまま１時間熟成して、パラアラミド濃度が６重量％のパラアラミド溶液を得た。
【００９５】
＜耐熱層形成用スラリーＡの作製＞
上述の耐熱層を得るための耐熱層形成用スラリーＡの製造条件は以下のとおりである。
【００９６】
得られたパラアラミド溶液１００ｇにＮＭＰ２４３ｇを添加し、６０分間撹拌して、パラアラミド濃度が１．７５重量％であるパラアラミド溶液を得た。他方、アルミナ粉末（アルミナＣ（日本アエロジル株式会社製）、真比重：３．２ｇ／ｃｍ３）６ｇと、アルミナ粉末（アドバンスドアルミナＡＡ−０３（住友化学株式会社製）、真比重：４．０ｇ／ｃｍ３）６ｇとを混合して、アルミナ粉末混合物１２ｇを得た。そして、パラアラミド濃度が１．７５重量％であるパラアラミド溶液に、アルミナ粉末混合物１２ｇを混合し、２４０分間撹拌して、アルミナ粉末含有パラアラミド溶液を得、さらに、このアルミナ粉末含有パラアラミド溶液を１０００メッシュの金網で濾過した。その後、濾液に酸化カルシウム０．７３ｇを添加し、２４０分撹拌して中和を行い、減圧下で脱泡して、耐熱層形成用スラリーＡを得た。
【００９７】
＜積層多孔質フィルムＡの製造＞
上述の二種類のセパレータのうちの一方の製造条件は以下のとおりである。
【００９８】
ポリオレフィン多孔質フィルムのロール（幅３００ｍｍ、長さ３００ｍ）を巻き出し機に取り付け、ポリオレフィン多孔質フィルムを引き出しながら、片面に上記耐熱層形成用スラリーＡを塗布し、連続的に積層多孔質フィルムＡを得た。
【００９９】
詳しくは、まず、引き出したポリオレフィン多孔質フィルムの下面にＮＭＰをマイクログラビアコーターで塗布し、上面に上記耐熱層形成用スラリーＡをバーコーターで所定厚みに塗布した。次に、塗工後のフィルムを恒温恒湿槽内（温度５０℃、相対湿度７０％）を通し、塗工膜からパラアラミドを析出させた。続いて、このフィルムを、水洗装置（イオン交換水が１０リットル／分で注入され、内部に満たされたイオン交換水が、上記注入速度と同一速度でイオン交換水が排出される槽内にガイドロールをセットした構造の装置）に通して、フィルムからＮＭＰ及び塩化カルシウムを除去した。
【０１００】
その後、洗浄されたフィルムにドライヤーで熱風を送りつつ、熱ロールを通して水分を乾燥除去した。これによりポリオレフィン多孔質フィルムの片面に耐熱層が積層されてなる厚み１７．０μｍの積層多孔質フィルムＡを得た。
【０１０１】
スリット装置（萩原工業社製、モデルＨＤＦ−１０５Ｓ−１０００）に板ナイフ（京セラ社製、ＦＢＣ４０１９Ｇ、刃先断面角度２５°）を取り付け、上記積層多孔質フィルムＡを表１に示す条件に従って、積層多孔質フィルムＡを直径８０ｍｍのロールに沿わせながらスリットした。
【０１０２】
＜耐熱層形成用スラリーＢの作製＞
上述の二種類のセパレータのうちの他方に設ける耐熱層を得るための耐熱層形成用スラリーＢの製造条件は以下のとおりである。
【０１０３】
純水：イソプロピルアルコールの重量比が９０：１０である媒体に固形分濃度が２８重量％となるようにカルボキシメチルセルロース（ＣＭＣ）（１１１０（ダイセルファインケム株式会社製）、真比重：１．６ｇ／ｃｍ３）とアルミナ粉末（ＡＫＰ３０００（住友化学株式会社製）、真比重：４．０ｇ／ｃｍ３）を３：１００の重量比で添加、混合して、高圧分散により、耐熱層形成用スラリーＢを得た。
【０１０４】
＜積層多孔質フィルムＢの製造＞
上述の他方のセパレータの製造条件は以下のとおりである。
【０１０５】
上記積層多孔質フィルムＡの未塗工面に上記耐熱層形成用スラリーＢを塗布し、連続的に積層多孔質フィルムＢを得た。
【０１０６】
詳しくは、積層多孔質フィルムＡの未塗工面にコロナ処理を行い、コロナ処理を行った面にグラビア塗工機を用いて耐熱層形成用スラリーＢを塗布し、乾燥した。これによりポリオレフィン多孔質フィルムの片面にアラミド耐熱層が、もう片面にアルミナ粉末からなる耐熱層が積層されてなる厚み２５．５μｍの積層多孔質フィルムＢを得た。
【０１０７】
（スリット条件）
【０１０８】
【表１】
0006030268.tif 000002
表１は、スリットセパレータ（スリットされた後の積層多孔質フィルムＡまたはＢ）の良否が接平面刃先角度θ３に依存することを検証した結果を示す。
【０１０９】
表１に示されるように、８例（実施例１〜６、比較例１〜２）について検証を行った。表１の第一行の「実施例１」は、右の欄に並ぶ数値が実施例１の数値であることを示す。他の例についても同様である。
【０１１０】
「フィルム種類」は、スリットセパレータが上述の積層多孔質フィルムＡまたはＢであることを示す。
【０１１１】
「刃深さｚ」、「断面角度θ１」、「取付角度θ２」、「接平面刃先角度θ３」は、上述の実施形態で説明したとおりである。
【０１１２】
「毛羽立ち量」は、スリットセパレータのスリット部位に発生した毛羽立ち量を示す。「グレードＡ」は、スリットセパレータが良好である（目視可能な毛羽立ちがない）ことを意味する。「グレードＢ」は、スリットセパレータに毛羽立ちが少ないことを意味する。「グレードＣ」は、スリットセパレータに毛羽立ちが多い（目視可能な毛羽立ちが複数個ある）ことを意味する。
【０１１３】
＜実施例１及び比較例１＞
スリット装置（萩原工業社製、モデルＨＤＦ−１０５Ｓ−１０００）に板ナイフ（京セラ社製、ＦＢＣ４０１９Ｇ、刃先断面角度２５°）を取り付け、上記積層多孔質フィルムＡを表１に示す条件に従って、積層多孔質フィルムＡを直径８０ｍｍのロールに沿わせながらスリットした例である。
【０１１４】
＜実施例２、３、５＞
スリット装置（萩原工業社製、モデルＨＤＦ−９２４―１９００）にゲーベル刃（京セラ社製、上刃：ＧＵＢＤ−０９８０７Ｔ４５ＤＣ１５（刃先断面角度４５°）、下刃：ＧＤＢＤ−０８００５Ｔ）を取り付け、上記積層多孔質フィルムＢを表１に示す条件に従って、積層多孔質フィルムＢを下刃に沿わせながらスリットした例である。
【０１１５】
＜実施例４、６、及び比較例２＞
スリット装置（萩原工業社製、モデルＨＤＦ−９２４―１９００）にゲーベル刃（京セラ社製、上刃：ＧＵＢＤ−０９８０７Ｔ６０ＤＣ１５（刃先断面角度６０°）、下刃：ＧＤＢＤ−０８００５Ｔ）を取り付け、上記積層多孔質フィルムＡを表１に示す条件に従って、積層多孔質フィルムＡを下刃に沿わせながらスリットした例である。
【０１１６】
（その他のスリット条件）
なお、ゲーベル刃の上刃は片刃であるため、このゲーベル刃を利用する実施例２〜６及び比較例２では、断面角度θ１の値を、上式（１２）のθ１ａに代入し得られたθ３ａの値を、接平面刃先角度θ３としている。
【０１１７】
また、セパレータをスリットする位置におけるセパレータの搬送速度は、５０ｍ／ｍｉｎ以上１００ｍ／ｍｉｎ以下である。また、このセパレータの巻取張力は、３０Ｎ／ｍ以上９０Ｎ／ｍ以下である。
【０１１８】
≪セパレータスリット方法の検証結果≫
接平面刃先角度θ３は、３°以上３５°以下が好ましく、３°以上２１°以下がより好ましく、５°以上２１°以下がさらに好ましい。
【０１１９】
具体的には、実施例１〜６の毛羽立ち量は、グレードＡ〜Ｂである。一方、比較例１〜２の毛羽立ち量は、グレードＣである。つまり、接平面刃先角度θ３が３°以上３５°以下の範囲に含まれるとき、スリット部位における毛羽立ちが少ない良品質のスリットセパレータを得ることができる。
【０１２０】
特に、実施例１〜４の毛羽立ち量は、グレードＡである。つまり、接平面刃先角度θ３が５°以上２１°以下の範囲に含まれるとき、スリット部位における毛羽立ちがより少ない良品質のスリットセパレータを得ることができる。
【０１２１】
以上のように、スリットセパレータの良否は、接平面刃先角度θ３に依存する。つまり、スリットされるセパレータの種類、スリット刃の種類（平刃、丸刃）、スリット刃の断面形状（両刃、片刃）、スリット刃の刃先の断面角度θ１、及びスリット刃の取付角度θ２のいずれかが異なっても、接平面刃先角度θ３が同じ値であれば、同じ品質のスリットセパレータが得られると言える。
【０１２２】
〔実施形態４〕
本発明の第四実施形態について説明する。
【０１２３】
≪複数のスリット刃の接平面刃先角度を一定に保つための構成≫
図１６は、本実施形態における複数のスリット刃の接平面刃先角度θ３を一定に保つための構成を示す模式図であって、（ａ）〜（ｅ）は丸刃のスリット刃７２ｃを用いた構成を示し、（ｆ）（ｇ）は平刃のスリット刃７２を用いた構成を示す。
【０１２４】
図１６の（ａ）に示されるように、丸刃のスリット刃７２ｃについて、複数のスリット刃７２ｃを一つの軸７３に取り付けることにより、それらの接平面刃先角度θ３を一定に保つことができる。
【０１２５】
なお、スリットをつづけるうちに、スリット刃７２ｃは摩耗していく。さらに、スリット刃７２ｃには、欠け等の不具合Ｍが発生することがある。図１６の（ｂ）に示されるように、不具合が発生したスリット刃７２ｃだけを交換すると、交換したスリット刃７２ｃであるスリット刃７２Ａと、スリットにより摩耗した他のスリット刃７２ｃとで、その大きさが整合しなくなる。このとき、スリット刃７２Ａと、スリット刃７２ｃとで、接平面刃先角度θ３が整合しなくなる。また、図１６の（ｃ）に示されるように、不具合が発生したスリット刃７２ｃを再生するべく研磨したときにも、研磨したスリット刃７２ｃであるスリット刃７２Ｂと、研磨されていない他のスリット刃７２ｃとで、接平面刃先角度θ３が整合しなくなる。
【０１２６】
図１６の（ｄ）に示されるように、方向Ｄへ搬送される所定幅の原反Ｓは、この所定幅に対応する個数のスリット刃７２ｃによりスリットされる。このとき、図１６の（ｅ）に示されるように、複数のスリット刃７２ｃのうち、原反Ｓに刃が当たるスリット刃７２Ｃのみが、スリットにより摩耗していく。ゆえに、スリット刃７２ｃの摩耗度合または不具合頻度が一定となるように、スリット刃７２ｃの数は、スリットする原反Ｓの幅に応じた適正枚数であることが好ましい。また、同一の原反Ｓをスリットするスリット刃７２ｃは、一斉に交換されることが好ましい。
【０１２７】
図１６の（ｆ）に示されるように、平刃のスリット刃７２についても、複数のスリット刃７２を一つの軸７３に取り付け、一斉に動かすことにより、それらの接平面刃先角度θ３を一定に保つことができる。図１６の（ｇ）に示されるように、スリット刃７２を回転可能なように回転軸７３ａにネジ等で取り付けることが好ましい。このとき、ストッパー７３ｂを配して、例えば二点鎖線で示す位置まで回転しないように、スリット刃７２の回転範囲を規定することがさらに好ましい。
【０１２８】
（接平面刃先角度の変動）
図１７は、スリット刃の接平面刃先角度θ３をほぼ同一にする構成を説明する模式図であって、（ａ）は平刃のスリット刃７２の位置及び／または角度が変動する例を示し、（ｂ）はスリット刃７２の接平面刃先角度θ３が変動する範囲を示し、（ｃ）は複数の種々のスリット刃の接平面刃先角度θ３をほぼ同一となるように原反Ｓをスリットするスリットセパレータの製造方法を示し、（ｄ）は他の原反Ｓをさらにスリットするスリットセパレータの製造方法を示す。
【０１２９】
図１７の（ａ）において二点鎖線で示されるように、スリット刃７２の位置及び／または角度が変動すると、取付角度θ２も変動する。このため、図１７の（ｂ）に示されるように、スリット刃７２の接平面刃先角度θ３は、接平面刃先角度θ３Ａのように小さくなったり、接平面刃先角度θ３Ｂのように大きくなったりする。
【０１３０】
このとき、スリット刃７２の刃先Ｅの断面角度θ１と、変動後の取付角度θ２とを、上述の式（６）に代入して接平面刃先角度θ３を求めることにより、接平面刃先角度θ３Ａ及びθ３Ｂが求められる。
【０１３１】
また、図１６の（ａ）に示されるように、スリット刃７２が摩耗したり、スリット刃７２に不具合が発生することにより、断面角度θ１は変動する。そして、式（６）に示されるとおり、断面角度θ１が変動すれば、取付角度θ２が変動しなくても、接平面刃先角度θ３は変動する。
【０１３２】
上述した丸刃のスリット刃７２ａと、片刃のスリット刃７２ｂと、一対のスリット刃７２ｃ・７２ｄとについても、これらの接平面刃先角度は、スリット刃７２の接平面刃先角度θ３と同様に変動する。以上の種々のスリット刃を、以下では単にスリット刃と称する。
【０１３３】
（接平面刃先角度の変動を抑制したスリットセパレータの製造方法）
図１７の（ｃ）に示されるように、本実施形態のスリットセパレータの製造方法は、原反Ｓを搬送する工程であるステップＳ１０１（第１搬送工程）と、複数のスリット刃によって原反Ｓをスリットする工程であるステップＳ１０２ａ（第１スリット工程）とを含む。
【０１３４】
このとき、ステップＳ１０２ａにおいて、複数のスリット刃の接平面刃先角度θ３は、角度θｃ±Δの範囲に含まれる。
【０１３５】
複数のスリット刃とは、例えば、図６の（ｂ）もしくは図１６の（ｆ）に示される複数のスリット刃７２、または、図１６の（ａ）に示される複数のスリット刃７２ｃを意味する。
【０１３６】
角度θｃは、これら複数のスリット刃の接平面刃先角度θ３の目標値であり、例えば上述の範囲αに含まれる値である。
【０１３７】
Δは、正数であり、かつ、接平面刃先角度θ３が角度θｃから変動する範囲を表す値である。そして、角度（θｃ−Δ）と、角度（θｃ＋Δ）とが、予め定めた範囲（例えば上述の範囲α）に含まれる程度にΔが小さければ、複数のスリット刃の接平面刃先角度θ３は、ほぼ同一の角度θｃになっていると扱える。
【０１３８】
なお、ステップＳ１０２ａにおいて、複数のスリット刃の接平面刃先角度θ３は、角度（θｃ−ΔＡ）以上かつ角度（θｃ＋ΔＢ）以下の範囲に含まれてもよい。このとき、ΔＡ及びΔＢは、０または正数であり、互いに異なる値である。そして、角度（θｃ−ΔＡ）と、角度（θｃ＋ΔＢ）とが、予め定めた範囲（例えば上述の範囲α）に含まれる程度にΔＡ及びΔＢが小さければ、複数のスリット刃の接平面刃先角度θ３は、ほぼ同一の角度θｃになっていると扱える。
【０１３９】
（接平面刃先角度の目標値及び変動範囲）
以上のとおり、複数のスリット刃の接平面刃先角度θ３がほぼ同一になっていることは、ステップＳ１０２ａにおいて、角度（θｃ−Δ）と角度（θｃ＋Δ）とが予め定めた範囲に含まれる角度θｃとΔとが存在することと等価である。
【０１４０】
ここで、予め定めた範囲とは、接平面刃先角度θ３がその範囲に含まれるときに、スリット部位における毛羽立ちが少ない良品質のスリットセパレータを得ることができる範囲である。例えば、表１の実施例２〜４に示される接平面刃先角度θ３の範囲である１１．９°以上２０．１°以下を、この予め定めた範囲とすることができる。
【０１４１】
例えば、角度θｃを１１．９°と２０．１°との平均である１６．０°とする。また、Δを２０．１°と１６．０°との差である４．１°とする。このとき、角度（θｃ−Δ）は、１１．９°となる。また、角度（θｃ＋Δ）は、２０．１°となる。よって、角度（θｃ−Δ）と角度（θｃ＋Δ）とが予め定めた範囲に含まれるような、角度θｃとΔとが存在することになる。
【０１４２】
（複数のスリット刃によって原反をスリットする工程）
複数のスリット刃によって原反Ｓをスリットする工程であるステップＳ１０２ａは、具体的には、接平面刃先角度θ３がほぼ同一となるように原反Ｓに対して複数のスリット刃を入れることによって原反Ｓをスリットする工程である。
【０１４３】
換言するならば、ステップＳ１０２ａは、接平面刃先角度θ３が予め定めた範囲に含まれるように原反Ｓに対して複数のスリット刃を入れることによって原反Ｓをスリットする工程であると言える。
【０１４４】
この予め定めた範囲は、例えば、接平面刃先角度θ３がその範囲に含まれるときに、スリット部位における毛羽立ちが少ない良品質のスリットセパレータを得ることができる範囲とすることができる。
【０１４５】
接平面刃先角度θ３が予め定めた範囲に含まれるように原反Ｓに対して複数のスリット刃を入れるとは、接平面刃先角度θ３の予め定めた範囲（例えば１１．９°以上２０．１°以下）において、上述の式（５）の関係を満たす範囲に含まれる断面角度θ１（例えば４５°以上６０°以下）の複数のスリット刃を、式（５）の関係を満たす範囲に含まれる取付角度θ２（例えば１２．２°以上１７．３°以下）にて、原反Ｓに対して入れることを意味する。
【０１４６】
（スリット刃の摩耗状態を一定に保つスリットセパレータの製造方法）
図１７の（ｄ）に示されるように、本実施形態のスリットセパレータの製造方法は、上述のステップＳ１０１において搬送される原反Ｓの幅と同じ幅を有する多孔質の他の原反を搬送する工程であるステップＳ１０１ａ（第２搬送工程）と、この他の原反に対して複数のスリット刃を入れることによってスリットする工程であるステップＳ１０２ｂ（第２スリット工程）とをさらに含んでもよい。
【０１４７】
ステップＳ１０２ａにおいては、図１６の（ｄ）に示されるように、複数のスリット刃のうちの一部のスリット刃によって原反Ｓをスリットしている。
【０１４８】
ステップＳ１０２ｂにおいては、ステップＳ１０２ａにおいて原反Ｓをスリットしたものと同一のスリット刃を用いて、ステップＳ１０１ａにおいて搬送された原反をスリットしている。つまり、複数のスリット刃の摩耗度合または不具合頻度が一定となるように、用いられるスリット刃の数は、ステップＳ１０２ａにおいてスリットする原反Ｓ及びステップＳ１０２ｂにおいてスリットする他の原反の幅に応じた適正枚数である。
【０１４９】
このとき、スリットに用いるスリット刃の接平面刃先角度θ３は、角度θｃ±Δの範囲に含まれる。
【０１５０】
≪本実施形態の効果≫
図１６に示されるように、スリット刃を固定することにより、スリット装置６（図４参照）の運転で、誤って原反Ｓに対するスリット刃の位置または角度を変えてしまうことを防止できる。特に、無機フィラーを含むセパレータ原反をスリットするときには、スリット刃の摩耗が早いため、以上の構成が有用である。
【０１５１】
図１７の（ｃ）に示されるスリットセパレータの製造方法において、原反Ｓは、多孔質ゆえにこれをスリットした際にそのスリット部位が毛羽立ちやすい。
【０１５２】
このとき、接平面刃先角度θ３が、スリットセパレータのスリット部位の毛羽立ちに影響する。そして、接平面刃先角度θ３がほぼ同一になる（θｃ−Δ≦θ３≦θｃ＋Δ）ことにより、毛羽立ちを効果的に抑制できる。
【０１５３】
このスリットセパレータの製造方法によれば、スリット部位に毛羽立ちが少ない良品質の複数のスリットセパレータを一括して得ることができる余地がうまれる。
【０１５４】
上述のΔは、好ましくは５°以下、より好ましくは３°以下、さらに好ましくは１°以下であればよい。
【０１５５】
このとき、複数のスリットセパレータのスリット部位の毛羽立ちが同程度となるため、複数のスリットセパレータの品質が安定する。そして、Δが小さいほど、これらの毛羽立ちが同一の程度に近づくため、その品質がより安定する。
【０１５６】
図１７の（ｄ）に示されるスリットセパレータの製造方法によれば、ステップＳ１０２ａにおいて原反Ｓをスリットする複数のスリット刃と、ステップＳ１０２ｂにおいて他の原反をスリットする複数のスリット刃とに、同一のスリット刃を利用できる。このため、スリット刃の摩耗度合または不具合頻度を一定とすることができる。
【０１５７】
図６の（ｂ）に示されるように、スリットセパレータｓｌ（フリットフィルム）は、複数のスリット刃のうちの隣り合う二つのスリット刃によってスリットされたものである。これにより、スリットセパレータｓｌの幅方向の両端において、スリット部位に毛羽立ちが少ない、より良品質のスリットセパレータを得ることができる。
【０１５８】
〔まとめ〕
本発明の第一態様に係るスリットセパレータの製造方法は、多孔質の電池用セパレータ原反を搬送する搬送工程と、スリット位置における上記電池用セパレータ原反に対する接平面内での複数のスリット刃先角度がほぼ同一となるように上記電池用セパレータ原反に対して複数のスリット刃を入れることによって上記電池用セパレータ原反をスリットする第１スリット工程とを含む。
【０１５９】
多孔質の電池用セパレータ原反は、多孔質ゆえにこれをスリットした際にそのスリット部位が毛羽立ちやすい。
【０１６０】
このとき、スリット位置における電池用セパレータ原反に対する接平面内でのスリット刃先角度（以下、「接平面刃先角度」という。）が、セパレータのスリット部位の毛羽立ちに影響する。そして、接平面刃先角度がほぼ同一になることにより、毛羽立ちを効果的に抑制できる。
【０１６１】
上記製造方法によれば、スリット部位に毛羽立ちが少ない良品質の複数のスリットセパレータを一括して得ることができる余地がうまれる。
【０１６２】
上記第１スリット工程において、スリットされたフィルムは、上記複数のスリット刃のうちの隣り合う二つのスリット刃によってスリットされたものであることが好ましい。
【０１６３】
上記製造方法によれば、スリットフィルムの幅方向の両端において、スリット部位に毛羽立ちが少ない、より良品質のスリットセパレータを得ることができる。
【０１６４】
上記複数のスリット刃は、上記電池用セパレータ原反に対して位置を固定された一つの軸に取り付けられていることが好ましい。
【０１６５】
上記製造方法によれば、複数のスリット刃の電池用セパレータ原反に対する位置が、同一の軸を介して固定される。ゆえに、確実に、複数のスリット刃の接平面刃先角度がほぼ同一となるように、電池用セパレータ原反に対して、複数のスリット刃を入れることができる。
【０１６６】
上記複数のスリット刃の少なくとも一つは、平刃であり、かつ、上記軸に回転可能なように取り付けられていることが好ましい。
【０１６７】
上記製造方法によれば、軸に回転可能なように取り付けられた平刃のスリット刃を回転させ、その角度を調整することができる。これにより、スリット刃の接平面刃先角度がほぼ同一となるように微調整できる。
【０１６８】
上記軸に回転可能なように取り付けられている上記スリット刃の回転角度は、上記軸に対して位置を固定されたストッパーによって限定されていることが好ましい。
【０１６９】
上記構成によれば、軸に回転可能なように取り付けられたスリット刃を停止させ、その角度を限定することができる。これにより、確実に、スリット刃の接平面刃先角度がほぼ同一となるように調整できる。
【０１７０】
上記第１スリット工程において、上記複数のスリット刃のうちの一部のスリット刃によって上記電池用セパレータ原反をスリットし、上記電池用セパレータ原反の幅と同じ幅を有する多孔質の他の電池用セパレータ原反を搬送する第２搬送工程と、上記一部のスリット刃の、スリット位置における上記他の電池用セパレータ原反に対する接平面内でのスリット刃先角度がほぼ同一となるように上記他の電池用セパレータ原反に対して上記一部のスリット刃を入れることによって上記電池用セパレータ原反をスリットする第２スリット工程とをさらに含むことが好ましい。
【０１７１】
上記製造方法によれば、第１スリット工程において電池用セパレータ原反をスリットする複数のスリット刃と、第２スリット工程において他の電池用セパレータ原反をスリットする複数のスリット刃とに、同一のスリット刃を利用できる。このため、スリット刃の摩耗度合または不具合頻度を一定とすることができる。
【０１７２】
上記複数のスリット刃を一斉に交換する工程をさらに含むことが好ましい。
【０１７３】
上記製造方法によれば、同程度に摩耗したまたは不具合が発生し得るスリット刃を一斉に交換することができる。
【０１７４】
上記電池用セパレータ原反は、無機フィラーを含んでいてもよい。
【０１７５】
無機フィラーを含む電池用セパレータ原反をスリットするときには、スリット刃の摩耗が速くなる。しかし、上記製造方法によれば、このような電池用セパレータ原反をスリットするときにも、スリット部位に毛羽立ちが少ない良品質の複数のスリットセパレータを一括して得ることができる余地がうまれる。
【０１７６】
そして、上述のストッパーを用いてスリット刃を固定すれば、誤って電池用セパレータ原反に対するスリット刃の位置または角度を変えてしまうことを防止できる。特に、無機フィラーを含む電池用セパレータ原反をスリットするときには、スリット刃の摩耗が早いため、以上の製造方法が有用である。
【０１７７】
上記第１スリット工程において、上記複数のスリット刃先角度が予め定めた範囲に含まれるように上記電池用セパレータ原反に対して上記複数のスリット刃を入れることによって上記電池用セパレータ原反をスリットすることが好ましい。
【０１７８】
上記第１スリット工程において、
ｔａｎ（θ３／２）＝ｓｉｎ（θ２）・ｔａｎ（θ１／２）  ……式（５）
上記複数のスリット刃先角度であるθ３の予め定めた範囲において、上記式（５）を満たす範囲に含まれる断面角度θ１の上記複数のスリット刃を、上記式（５）関係を満たす範囲に含まれる取付角度θ２にて、上記電池用セパレータ原反に対して入れることによって上記電池用セパレータ原反をスリットすることが好ましい。
【０１７９】
上記範囲は、上記複数のスリット刃先角度がその範囲に含まれるときに、スリット部位における毛羽立ちが少ない良品質のスリットセパレータを得ることができる範囲であることが好ましい。
【０１８０】
本発明の第二態様に係るセパレータ捲回体の製造方法は、上述のスリットセパレータの製造方法における各工程と、スリットされたセパレータをコアに巻く工程とを含む。
【０１８１】
電池用セパレータ原反のスリットセパレータがコアに捲回されると、スリットセパレータの幅方向の端部に発生した毛羽は、セパレータ捲回体の側部端面に表れる。
【０１８２】
上記製造方法によれば、側部端面に毛羽立ちが少ない良品質の複数のセパレータ捲回体を一括して得ることができる余地がうまれる。
【０１８３】
〔参考例〕
本発明の第一参考態様に係るスリットセパレータの製造方法は、多孔質の電池用セパレータ原反を搬送する工程と、スリット位置における上記電池用セパレータ原反に対する接平面内でのスリット刃先角度が３°以上３５°以下の範囲となるように上記電池用セパレータ原反に対してスリット刃を入れることによって上記電池用セパレータ原反をスリットする工程とを含む。
【０１８４】
多孔質の電池用セパレータ原反は、多孔質ゆえにこれをスリットした際にそのスリット部位が毛羽立ちやすい。
【０１８５】
発明者らは、スリット位置における電池用セパレータ原反に対する接平面内でのスリット刃先角度（以下、「接平面刃先角度」という。）が、セパレータのスリット部位の毛羽立ちに影響することを見出すとともに、接平面刃先角度が３°以上３５°以下の範囲となることにより毛羽立ちを効果的に抑制できることを見出した。
【０１８６】
上記製造方法によれば、スリット部位に毛羽立ちが少ない良品質のスリットセパレータを得ることができる。
【０１８７】
また、上記スリット刃先角度は、２８°以下であることが好ましい。
【０１８８】
上記製造方法によれば、スリット部位における毛羽立ちがより少ない良品質のスリットセパレータを得ることができる。
【０１８９】
また、上記スリット刃先角度は、５°以上２１°以下の範囲となることがより好ましい。
【０１９０】
上記製造方法によれば、スリット部位における毛羽立ちがより少ないさらに良品質のスリットセパレータを得ることができる。
【０１９１】
また、上記電池用セパレータ原反は、上記スリット位置において上記スリット刃に向かって凸となる曲面を形成していてもよい。
【０１９２】
上記製造方法によれば、接平面刃先角度は、スリット刃の刃先が上記曲面に差し込まれた長さで定まるため、接平面刃先角度を調整しやすい。
【０１９３】
また、上記スリット刃の刃先は、弧状であってよい。
【０１９４】
上記製造方法によれば、接平面刃先角度は、スリット刃の刃先が搬送されている電池用セパレータ原反に差し込まれた長さで定まるため、接平面刃先角度を調整しやすい。
【０１９５】
また、上記スリット刃の刃先の形状は、上記接平面に垂直であり、かつ、上記電池用セパレータ原反の搬送方向に平行である平面に対し、面対称であってよい。
【０１９６】
上記製造方法によれば、スリットされた端面の形状がより均一に近いスリットセパレータが得られる。
【０１９７】
また、本発明の第二参考態様に係るセパレータ捲回体の製造方法は、上述のスリットセパレータの製造方法における各工程と、スリットされたセパレータをコアに巻く工程とを含む。
【０１９８】
上記製造方法によれば、コアとコアに巻かれたセパレータとからなるセパレータ捲回体が得られる。このとき、セパレータのスリット部位は、コアの側面側における捲回体の表面に対応している。上述のスリットセパレータの製造方法により、スリット部位における毛羽立ちが少ない良品質のスリットセパレータを得ることができる。これにより、表面に毛羽立ちが少ない良品質のセパレータ捲回体を得ることができる。
【０１９９】
また、本発明の第三参考態様に係るセパレータスリット方法は、多孔質の電池用セパレータ原反を搬送する工程と、スリット位置における上記電池用セパレータ原反に対する接平面内でのスリット刃先角度が３°以上３５°以下の範囲となるように上記電池用セパレータ原反に対してスリット刃を入れることによって上記電池用セパレータ原反をスリットする工程とを含む。
【０２００】
また、本発明のさらに第四参考態様に係るセパレータスリット装置は、多孔質の電池用セパレータ原反を搬送する搬送部と、上記電池用セパレータ原反をスリットするスリット刃とを備え、上記スリット刃は、スリット位置における上記電池用セパレータ原反に対する接平面内での刃先角度が３°以上３５°以下の範囲となる構成である。
【０２０１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０２】
本発明は、フィルムを任意の方向にスリットする方法、フィルム捲回体の製造方法、及びフィルムスリット装置に利用することができる。
【符号の説明】
【０２０３】
１  リチウムイオン二次電池
３  リチウムイオン
４  耐熱層
６  スリット装置（セパレータスリット装置）
７  切断装置
１２  セパレータ
６６  ローラー（搬送部）
７１  ホルダー
７２・７２ａ〜７２ｄ  スリット刃
Ｅ・Ｅａ・Ｅｃ  刃先
Ｐ  孔
Ｓ  原反（セパレータ）
Ｓ１０１  セパレータ原反を搬送する工程、第１搬送工程
Ｓ１０１ａ  他のセパレータ原反を搬送する工程、第２搬送工程
Ｓ１０２  セパレータ原反をスリットする工程
Ｓ１０２ａ  セパレータ原反をスリットする工程、第１スリット工程
Ｓ１０２ｂ  セパレータ原反をスリットする工程、第２スリット工程
Ｔ  断面（接平面）
θ１・θ１ａ・θ４  断面角度
θ２  取付角度
θ２ａ・θ２ｂ  進入角度
θ２ｃｃ・θ２ｃｄ  片側進入角度
θ３・θ３ａ  接平面刃先角度
【要約】
スリット部位における毛羽立ちが少ない良品質のスリットセパレータを得る。本発明は、原反（Ｓ）を搬送するステップ（Ｓ１０１）と、スリット位置における原反（Ｓ）に対する接平面内での接平面角度（θ３）がほぼ同一となるように原反（Ｓ）に対して複数のスリット刃（７２）を入れることによって原反（Ｓ）をスリットするステップ（Ｓ１０２）とを含む。【図１】
0006030268.tif 000003
【図２】
0006030268.tif 000004
【図３】
0006030268.tif 000005
【図４】
0006030268.tif 000006
【図５】
0006030268.tif 000007
【図６】
0006030268.tif 000008
【図７】
0006030268.tif 000009
【図８】
0006030268.tif 000010
【図９】
0006030268.tif 000011
【図１０】
0006030268.tif 000012
【図１１】
0006030268.tif 000013
【図１２】
0006030268.tif 000014
【図１３】
0006030268.tif 000015
【図１４】
0006030268.tif 000016
【図１５】
0006030268.tif 000017
【図１６】
0006030268.tif 000018
【図１７】
0006030268.tif 000019